(57)【要約】【課題】スケジュール管理アプリケーションに入力されたスケジュール情報に基づいて、家族の構成員の不在期間を演算して、エネルギー消費を低減させるようにした温水システムを提供すること。【解決手段】外部サーバ(60)とこの外部サーバ(60)に通信網(NT)9を介して接続された温水装置(1)とを備えた温水システム(S)において、外部サーバ(60)は、家族の１又は複数の利用者のスケジュール管理を行うスケジュール管理アプリケーションのスケジュールデータが記憶されたスケジュール管理サーバ(50)と通信可能に構成され、外部サーバ(60)には、予め入力して記憶された１又は複数の利用者のスケジュール管理アプリケーションの所在を示すアドレス情報に基づいて、スケジュール管理サーバ(50)にアクセスして１又は複数の利用者のスケジュールデータを取得し、それらスケジュールデータに基づいて不在期間を演算すると共にその不在期間データを温水装置(1)に送信する不在期間演算送信制御手段が格納されている。【選択図】  図２
2020003102.tif 000002
【特許請求の範囲】
【請求項１】
外部サーバとこの外部サーバに通信網を介して接続された温水装置とを備えた温水システムにおいて、
前記外部サーバは、家族の１又は複数の利用者のスケジュール管理を行うスケジュール管理アプリケーションのスケジュールデータが記憶されたスケジュール管理サーバと通信可能に構成され、
前記外部サーバには、予め入力して記憶された前記１又は複数の利用者のスケジュール管理アプリケーションの所在を示すアドレス情報に基づいて、スケジュール管理サーバにアクセスして前記１又は複数の利用者のスケジュールデータを取得し、それらスケジュールデータに基づいて不在期間を演算すると共にその不在期間データを前記温水装置に送信する不在期間演算送信制御手段が格納されていることを特徴とする温水システム。
【請求項２】
前記温水装置は貯湯タンクを有しており、予め設定された貯湯温度で湯水を前記貯湯タンクに貯湯する温水システムであって、
前記不在期間においては、それ以外の期間と比較して前記貯湯温度を所定温度低下させることを特徴とする請求項１に記載の温水システム。
【請求項３】
通信網に接続された制御ユニットを備えた温水装置において、
前記制御ユニットは、家族の１又は複数の利用者のスケジュール管理を行うスケジュール管理アプリケーションのスケジュールデータが記憶されたスケジュール管理サーバと通信可能に構成され、
前記制御ユニットには、予め入力して記憶された前記１又は複数の利用者のスケジュール管理アプリケーションの所在を示すアドレス情報に基づいて、スケジュール管理サーバにアクセスして前記１又は複数の利用者のスケジュールデータを取得し、それらスケジュールデータに基づいて不在期間を演算する不在期間演算制御手段が格納されていることを特徴とする温水装置。
【請求項４】
前記温水装置は貯湯タンクを有しており、予め設定された貯湯温度で湯水を前記貯湯タンクに貯湯する温水装置であって、
前記不在期間においては、それ以外の期間と比較して前記貯湯温度を所定温度低下させることを特徴とする請求項３に記載の温水装置。
【発明の詳細な説明】
【技術分野】
【０００１】
本発明は、家族の構成員（１又は複数の利用者）が利用しているスケジュール管理アプリケーションに入力されたスケジュール情報に基づいて家族の利用者の不在期間を演算して、エネルギー消費を低減するようにした温水装置に関する。
【背景技術】
【０００２】
従来から、ヒートポンプ給湯装置や燃料電池等の外部熱源機で加熱された湯水を貯湯タンクに貯留し、この貯留された湯水を給湯先に供給可能なエネルギー効率が高い温水システムが一般に広く普及している。このような温水システムでは、カレンダー機能や時間毎の給湯使用量データ記憶機能を備えており、過去の給湯使用履歴に基づいて予測される給湯使用量を予め貯湯タンクに貯留する学習予測制御が行われている。
【０００３】
従来の学習予測制御では、家族の全員が在宅か不在かにかかわらず、給湯使用履歴に基づいて予測される給湯使用量の湯水であって予め設定された貯湯温度の湯水を使用予測時刻までに貯湯ユニットに貯湯するように制御する。
【０００４】
しかし、利用者の帰宅時間が通常より遅くなるケースや、出張等で１日以上不在になるケースや、家族旅行で数日間留守にするケースも発生するが、上記学習予測制御では、これらのケースを把握できないため、在宅か不在かにかかわらず学習予測制御に基づいて一律に貯湯運転を行う。
【０００５】
特許文献１のエネルギー供給システムにおいては、利用者毎のエネルギー負荷を計測し、計測したエネルギー負荷に基づいてエネルギー負荷予測を行い、利用者が利用しているスケジューラを利用することで、利用者がコージェネレーションシステムを直接操作することなく、エネルギー負荷予測を修正してエネルギー生成を行っている。
【先行技術文献】
【特許文献】
【０００６】
【特許文献１】特開２０１５−１８５０２５号公報
【発明の概要】
【発明が解決しようとする課題】
【０００７】
しかし、特許文献１のエネルギー供給システムでは、エネルギー負荷予測をきめ細かく行うことができるが、そのエネルギー負荷予測制御が複雑化し実用性に欠ける。
【０００８】
本発明の目的は、家族の構成員が利用しているスケジュール管理アプリケーションに入力されたスケジュール情報に基づいて、家族の構成員の不在期間を演算して、エネルギー消費を低減させるようにした温水システムを提供することである。
【課題を解決するための手段】
【０００９】
請求項１の発明は、外部サーバとこの外部サーバに通信網を介して接続された温水装置とを備えた温水システムにおいて、前記外部サーバは、家族の１又は複数の利用者のスケジュール管理を行うスケジュール管理アプリケーションのスケジュールデータが記憶されたスケジュール管理サーバと通信可能に構成され、前記外部サーバには、予め入力して記憶された前記１又は複数の利用者のスケジュール管理アプリケーションの所在を示すアドレス情報に基づいて、スケジュール管理サーバにアクセスして前記１又は複数の利用者のスケジュールデータを取得し、それらスケジュールデータに基づいて不在期間を演算すると共に、その不在期間データを前記温水装置に送信する不在期間演算送信制御手段が格納されていることを特徴としている。
【００１０】
請求項２の発明は、請求項１の発明において、前記温水装置は貯湯タンクを有しており、予め設定された貯湯温度で湯水を前記貯湯タンクに貯湯する温水システムであって、前記不在期間においては、それ以外の期間と比較して前記貯湯温度を所定温度低下させることを特徴としている。
【００１１】
請求項３の発明は、通信網に接続された制御ユニットを備えた温水装置において、前記制御ユニットは、家族の１又は複数の利用者のスケジュール管理を行うスケジュール管理アプリケーションのスケジュールデータが記憶されたスケジュール管理サーバと通信可能に構成され、前記制御ユニットには、予め入力して記憶された１又は複数の利用者のスケジュール管理アプリケーションの所在を示すアドレス情報に基づいてスケジュール管理サーバにアクセスして前記１又は複数の利用者のスケジュールデータを取得し、それらスケジュールデータに基づいて不在期間を演算する不在期間演算制御手段が格納されていることを特徴としている。
【００１２】
請求項４の発明は、請求項３の発明において、前記温水装置は貯湯タンクを有しており、予め設定された貯湯温度で湯水を前記貯湯タンクに貯湯する温水装置であって、前記不在期間においては、それ以外の期間と比較して前記貯湯温度を所定温度低下させることを特徴としている。
【発明の効果】
【００１３】
上記の構成の温水システムによれば、外部サーバには家族の１又は複数の利用者のスケジュール管理アプリケーションの所在を示すアドレス情報（ＵＲＬ）が予め入力して記憶されているため、外部サーバは、前記アドレス情報に基づいてスケジュール管理サーバにアクセスすることで、スケジュール管理サーバ内に記憶された１又は複数の利用者のスケジュールデータを取得することできる。
【００１４】
また、外部サーバに格納された不在期間演算送信制御手段は、上記のように取得した１又は複数の利用者のスケジュールデータから不在期間を演算し、その不在期間を温水システムに送信するので、温水システムは外部サーバを介して利用者が不在となる不在期間を自動的に取得することができる。また、その不在期間において、貯湯温度を所定温度低下させるため、温水システムにおけるエネルギー消費を低減することができる。なお、利用者の過半数が外出して不在となる場合を不在期間としてもよいし、利用者の全員が外出して不在となる場合を不在期間としてもよい。
【００１５】
上記の構成の温水装置によれば、制御ユニットには家族の１又は複数の利用者のスケジュール管理アプリケーションの所在を示すアドレス情報（ＵＲＬ）が予め入力して記憶されているため、制御ユニットは、前記アドレス情報に基づいてスケジュール管理サーバにアクセスして、１又は複数の利用者のスケジュールデータを取得することができる。
【００１６】
また、制御ユニットに格納された不在期間演算制御手段は、上記のように取得した１又は複数の利用者のスケジュールデータから利用者の不在期間を演算するので、温水装置は利用者が不在となる不在期間を自動的に取得することができる。温水装置はその不在期間において、貯湯温度を所定温度低下させるため、温水装置におけるエネルギー消費を低減することができる。
【図面の簡単な説明】
【００１７】
【図１】本発明の実施形態に係る温水装置の全体構成を示す図である。
【図２】インターネット通信網とスケジュール管理サーバと外部サーバと３つのスマートと操作端末と制御ユニット等の通信接続関係を示す説明図である。
【図３】不在期間演算送信制御のフローチャートである。
【図４】利用者Ａ〜Ｃの本日の在宅期間と不在期間を示すタイムチャートである。
【図５】全員が不在期間を加味して行う設定温度変更制御のフローチャートである。
【図６】温水システムにおける予測給湯使用量と貯湯運転を示すタイムチャートである。
【発明を実施するための形態】
【００１８】
以下、本発明を実施するための形態について実施例に基づいて説明する。
【実施例１】
【００１９】
最初に、図１に基づいてヒートポンプ給湯装置である温水装置１の全体構成について説明する。温水装置１は、貯湯給湯ユニット２と、ヒートポンプ熱源機３とを有し、貯湯給湯ユニット２は、貯湯タンク４、ガス燃焼式の補助熱源機５、その他の機器（配管、バルブ、温度センサ等々）と、貯湯給湯ユニット２を覆う外装ケース２ａとを備えている。この貯湯給湯ユニット２は、ヒートポンプ熱源機３を駆動して加熱した湯水を貯湯タンク４に貯留し、この貯留した湯水を給湯や浴槽６の湯張りに使用する。また、必要に応じて貯湯タンク４から取り出した湯水を補助熱源機５により加熱して給湯や風呂追焚や暖房等に使用可能である。
【００２０】
貯湯タンク４の上部には、貯湯タンク４に貯留した湯水を出湯するための出湯通路７が接続されている。貯湯タンク４の下部には、貯湯タンク４に上水源から上水を供給するための給水通路８が接続されている。この給水通路８から分岐したバイパス通路９が出湯通路７に接続され、この接続部に出湯通路７の湯水とバイパス通路９の上水を混合する混合比率を調整可能な湯水混合弁１０が介装されている。湯水混合弁１０には給湯通路１１が接続され、湯水混合弁１０で混合された湯水は、給湯通路１１を流通して図示外の給湯栓等に給湯可能であり、給湯通路１１から分岐して追焚通路１２に接続する湯張り通路１３を介して浴槽６に湯張り可能である。湯張り通路１３には、湯張り用の開閉弁１３ａが設けられている。
【００２１】
貯湯タンク４の下部にはヒートポンプ熱源機３に湯水を供給する往き側湯水通路１６が接続され、このヒートポンプ熱源機３で加熱された湯水を貯湯タンク４に戻す戻り側湯水通路１７が貯湯タンク４の上部に接続されて、貯湯タンク４とヒートポンプ熱源機３の間で湯水が循環可能な循環加熱通路１５が形成されている。
【００２２】
往き側湯水通路１６には、貯湯タンク４からヒートポンプ熱源機３に入水する湯水の入水温度を検知する入水温度センサ１８と循環ポンプ１９と切換弁２０が接続されている。戻り側湯水通路１７には、ヒートポンプ熱源機３で加熱された湯水の温度を検知する加熱温度センサ２１が接続され、往き側湯水通路１６と戻り側湯水通路１７とを接続するバイパス通路２２が設けられ、往き側湯水通路１６とバイパス通路２２との接続部には切換弁２０が接続されている。
【００２３】
ヒートポンプ熱源機３の起動直後等の加熱温度が低い場合に、切換弁２０を切換えてヒートポンプ熱源機３で加熱した湯水を再びヒートポンプ熱源機３に送って再加熱することができる。ヒートポンプ熱源機３は、圧縮機と、凝縮熱交換器と、膨張弁と、蒸発熱交換器とを冷媒配管により接続してなるヒートポンプ回路を有する一般的なものである。
【００２４】
貯湯タンク４の外周には、貯留された湯水の温度を検知する複数の温度センサ４ａ〜４ｄが上下方向に所定間隔おきに設けられている。これら温度センサ４ａ〜４ｄ及び貯湯タンク４は図示外の保温材により覆われている。出湯通路７には、湯水混合弁１０に供給される湯水の出湯温度を検知するための出湯温度センサ７ａが接続されている。給水通路８には、上水源から供給される上水の温度を検知するための給水温度センサ８ａが接続されている。給湯通路１１のうちの湯水混合弁１０よりも下流側には、給湯する湯水の流量を検出する流量計１１ｂと、給湯温度を検知するための給湯温度センサ１１ａが接続されている。
【００２５】
貯湯タンク４の湯水を補助熱源機５で加熱するための補助加熱通路２３が、出湯通路７から分岐して補助熱源機５に接続されている。補助熱源機５で加熱した湯水を出湯するための補助出湯通路２４には調整弁２５が介装され、この補助出湯通路２４は出湯通路7に接続されている。補助出湯通路２４には温度センサ２４ａが設けられている。
調整弁２５は、補助出湯通路２４を通って出湯通路７に供給される湯水流量を調整する。補助加熱通路２３には、三方弁２６と補助熱源機５に湯水を送るためのポンプ２７が介装されている。
【００２６】
補助出湯通路２４から分岐した熱交換通路２８には三方弁２６に接続され、熱交換通路２８には温度センサ２８tが介装されている。三方弁２６は、貯湯タンク４の湯水又は熱交換通路２８の湯水を補助熱源機５に供給可能となるように切換えられる。熱交換通路２８の上流側部分は、補助出湯通路２４から分岐した上流側通路２８ａ，２８ｂを有し、上流側通路２８ａには風呂追焚用の熱交換器２９と開閉弁３０とが介装されている。上流側通路２８ｂには暖房用の熱交換器３７と開閉弁３８とが介装されている。
【００２７】
追焚通路１２は循環ポンプ３１を有すると共に熱交換器２９に接続され、浴槽６から導入した湯水を熱交換器２９で加熱してから浴槽６へ戻すことで、追い焚き可能になっている。暖房端末と熱交換器３７との間で熱媒を循環させる熱媒通路は、熱媒戻り通路３９と、熱媒往き通路４０，４１を有する。熱媒往き通路４０は高温用暖房端末に接続され、熱媒往き通路４１は床暖房等の低温用暖房端末に接続されている。熱媒往き通路４１は逆止弁４２を介して熱媒往き通路４０に接続されると共に流量調整弁４３を介して熱媒戻り通路３９に接続されている。
【００２８】
給水通路８には、逆止弁３２と、給水通路８から分岐して熱交換通路２８に接続する分岐通路部３３が接続されている。バイパス通路９には逆止弁３４が介装され、バイパス通路９から分岐して給湯通路１１に接続された高温出湯回避通路３５には、高温出湯回避電磁弁３６が介装されている。
【００２９】
以上説明した種々の機器（ポンプ、弁類、センサ類）は制御ユニット４４に電気的に接続され、制御ユニット４４により制御される。この制御ユニット４４は、貯湯給湯ユニット２を操作する操作端末４５と、ヒートポンプ熱源機３の制御部３ａと、補助熱源機５と、浴室の操作端末４６等に接続されている。
【００３０】
次に、家族の1又は複数の構成員（利用者）のスケジュールにおける不在期間に関連付けて温水装置１を制御する不在期間関連制御について、図２〜図６に基づいて説明する。
図２に示すように、温水システムＳは、スケジュール管理サーバ５０、外部サーバ６０とこれらにインターネット通信網ＮＴを介して接続された温水装置１とを備えており、温水装置１の制御ユニット４４に接続された操作端末４５の通信制御部４５ａは、インターネット通信網ＮＴを介して外部サーバ６０に接続されている。
【００３１】
温水装置１が設置された家庭の家族の構成員である例えば３名の利用者Ａ，Ｂ，Ｃは、夫々スマートフォンＨＰ１，ＨＰ２，ＨＰ３を夫々有し、３名の利用者Ａ，Ｂ，Ｃは、このスマートフォンＨＰ１〜ＨＰ３でスケジュール管理サーバ５０内のスケジュール管理アプリケーションを利用しているものとする。
【００３２】
ここで、スケジュール管理アプリケーションとは、個人のスケジュール管理ツールとして広く一般に用いられている汎用のスマートフォン用のスケジュール管理アプリケーションやＰＣ用のスケジュール管理アプリケーションのことであり、スマートフォンやＰＣなどインターネット通信網ＮＴに接続された機器同士がスケジュール情報を共有可能である。上記のスケジュール管理アプリケーションは、外部のスケジュール管理サーバ５０に格納されている。
【００３３】
スケジュール管理サーバ５０には、利用者Ａ，Ｂ，Ｃのスケジュール管理アプリケーションの所在を示すアドレス情報ＵＲＬ１〜ＵＲＬ３とスケジュール情報が記憶領域５１，５２，５３に格納されている。このスケジュール管理サーバ５０はインターネット通信網ＮＴに接続されている。
【００３４】
インターネット通信網ＮＴに接続された外部サーバ６０内には、利用者Ａ，Ｂ，Ｃが利用しているスケジュール管理アプケーションの所在を示す上記のアドレス情報ＵＲＬ１〜ＵＲＬ３が予め設定して記憶されている。尚、上記のアドレス情報ＵＲＬ１〜ＵＲＬ３は、スケジュール管理サーバ５０の所在を示すアドレス情報とそのスケジュール管理サーバ５０における利用者Ａ，Ｂ，Ｃの所在を示すアドレス情報（利用者特定情報）を含むものである。この外部サーバ６０内には後述の不在期間演算送信制御プログラムが予め格納されている。
【００３５】
次に上記の不在期間演算送信制御について、図３のフローチャートに基づいて説明する。
尚、図中のＳｉ（ｉ＝１，２，・・・）は各ステップを示す。
【００３６】
この制御が開始されると、Ｓ１において本日の所定時刻（例えば、午前０時）か否かを判定する。所定時刻は温水装置１の初期設定時に予め設定され、本実施例１では午前０時に設定されているものとする。午前０時になると、Ｓ１の判定がＹｅｓとなりＳ２に進み、Ｓ１の判定がＮｏの間はＳ１が繰り返される。
【００３７】
次に、Ｓ２において、外部サーバ６０がスケジュール管理サーバ５０の記憶領域５１〜５３にアクセスして、利用者Ａ，Ｂ，Ｃの本日のスケジュールデータを取得する。ここで、利用者Ａ，Ｂ，Ｃの本日のスケジュールデータから演算される在宅期間と不在期間のタイムチャートの例を図４示す。
【００３８】
次に、Ｓ３においてスケジュール管理サーバ５０の記憶領域５１から取得したスケジュールデータに基づいて、利用者Ａの本日の不在期間（ｔ１〜ｔ５）が演算されて、メモリに記憶される。次に、Ｓ４においてスケジュール管理サーバ５０の記憶領域５２から取得したスケジュールデータに基づいて、利用者Ｂの本日の不在期間（ｔ２〜ｔ４）が演算されて、メモリに記憶される。
【００３９】
次に、Ｓ５においてスケジュール管理サーバ５０の記憶領域５３から取得したスケジュールデータに基づいて、利用者Ｃの本日の不在期間（ｔ３〜ｔ６）が演算されて、メモリに記憶される。次に、Ｓ６においてメモリに記憶された利用者Ａ，Ｂ，Ｃの不在期間から全員の不在期間（ｔ３〜ｔ４）が演算されて、メモリに記憶される。
【００４０】
次に、Ｓ７において、本日の全員の不在期間データ（ｔ３〜ｔ４）が温水装置１の操作端末４５の通信制御部４５ａに送信され、通信制御部４５ａを介して温水装置１の制御ユニット４４に送信され、この不在期間演算送信制御が終了する。尚、Ｓ７から制御はリターンし、この制御は常時繰り返し実行される。
【００４１】
次に、本日の全員の不在期間データを受信したあと温水装置１の制御ユニット４４で行われる設定温度変更制御について、図５のフローチャートに基づいて説明する。
ここで、温水装置１は、カレンダー機能や時間毎の給湯使用量データを取得して記憶する機能を備えており、過去の給湯使用履歴に基づいて予測される予測給湯使用量を予め貯湯タンクに貯留する学習予測制御が行われており、図６にこの学習予測制御による予測給湯使用量と貯湯運転のごく一部のタイムチャートを示し、これを参照しつつ説明する。
【００４２】
図３のＳ７において、本日の不在期間データが送信されると、図５の設定温度変更制御がスタートされる。尚、この設定温度変更制御は、前記の家族全員の不在期間に関連する設定温度変更制御のみを示すものである。この設定温度変更制御が開始されると、Ｓ１０において、本日の全員の不在期間データを温水装置１の制御ユニット４４が受信する。次にＳ１１において、本日の不在期間に予測給湯使用があるか否か判定する。
【００４３】
上記の判定について図６を参照して説明する。
時刻ｔ１１〜ｔ１２において予測給湯使用量Ｙ１の給湯使用が予測されている場合、その時刻ｔ１１までに、予測給湯使用量Ｙ１に相当する貯湯量Ｖ１の貯湯が完了するように貯湯タンク４内の湯水が加熱される。同様に、時刻ｔ１３〜ｔ１４において予測給湯使用量Ｙ２の給湯使用が予測されている場合、その時刻ｔ１３までに、予測給湯使用量Ｙ２に相当する貯湯量Ｖ２の貯湯が完了するように貯湯タンク４内の湯水が加熱される。
【００４４】
貯湯タンク４内の湯水を加熱する際、循環ポンプ１９を駆動し、往き側湯水通路１６を通って、ヒートポンプ熱源機３を経由して戻り側湯水通路１７を通じて貯湯タンク４の上部に戻され貯湯タンク４内の上層部に貯湯される。このとき、循環ポンプ１９の回転数に基づいて貯湯量を演算することができる。
【００４５】
次に、Ｓ１１において不在期間に予測給湯使用量があるか否か判定され、判定がＹｅｓの場合Ｓ１２に進む。すなわち、時刻ｔ１１〜ｔ１２の期間は予測給湯使用量Ｙ１の使用が予測されているが、本日の家族全員の不在期間に該当するため給湯使用されない可能性が高いため、貯湯量Ｖ１を貯湯する貯湯運転では貯湯温度を所定温度Ａ℃（例えば、Ａは４°Ｃである）だけ低下させるように制御ユニット４４に指令を送り、Ｓ１３に進む。一方、Ｓ１１の判定がＮｏの場合は、Ｓ１２を実行することなくＳ１３に進む。
【００４６】
次にＳ１３においては、冬季などの冷寒時であって暖房が実行中か否か判定し、その判定がＹｅｓの場合はＳ１４へ移行し、判定がＮｏのときはリターンする。
Ｓ１４では、暖房が実行中で、外気温度がＴ℃（例えば、４℃）以上であるか否か判定する。その判定がＹｅｓの場合はＳ１５に進み、Ｓ１５において不在期間の終了時刻ｔ４の例えば１時間前までの暖房設定温度を所定温度Ｂ℃（例えば、４℃）低下させるように制御ユニット４４に指令を送り、その後リターンする。
【００４７】
本実施例に係る温水システムＳの作用、効果について説明する。
外部サーバ６０には、インターネット通信網ＮＴを介して、家族の１又は複数の利用者のスケジュール管理アプリケーションの所在を示すアドレス情報ＵＲＬ１〜ＵＲＬ３が予め記憶されているため、外部サーバ６０は、アドレス情報ＵＲＬ１〜ＵＲＬ３にアクセスすることで、スケジュール管理サーバ５０内に記憶された１又は複数の利用者のスケジュールデータを取得することが可能である。
【００４８】
また、外部サーバ６０に格納された不在期間演算送信制御プログラムは、上記のように取得した１又は複数の利用者のスケジュールデータから全員が不在である不在期間を演算し、その不在期間をインターネット通信網ＮＴを介して温水装置１に送信するので、温水装置１は外部サーバ６０を介して全員が不在となる不在期間を自動的に取得することができる。
【００４９】
温水装置１の制御ユニット４４は、不在期間演算送信制御プログラムにより送信される家族全員の不在期間のデータを受信し、その不在期間のデータに基づいて設定温度変更制御を行い、不在期間における予測給湯使用のための貯湯運転においては、貯湯温度を所定温度Ａ℃だけ低下させるため、温水システムＳにおけるエネルギー消費量の節減を図ることができる。特に、家族旅行等で数日間留守になるような場合には、エネルギー消費量を大幅に節減することができる。しかも、この場合、何れかの利用者が在宅している在宅期間における予測給湯使用のための貯湯運転においては、貯湯温度を変更しないため、給湯使用に支障を来すことはない。
【００５０】
冬季等において暖房実行中の場合、不在期間の終了時刻の例えば１時間前までの暖房設定温度を所定温度Ｂ℃だけ低下させるため、エネルギー消費量の節減を図ることができる。
上記と同様に、家族旅行等で数日間留守になるような場合には、エネルギー消費量を大幅に節減することができる。
【００５１】
次に、前記実施形態を部分的に変更する例について説明する。
（１）前記外部サーバ６０を省略し、外部サーバ６０の機能を制御ユニット４４に分担させることも可能である。
この場合、前記制御ユニット４４には、予め入力して記憶された前記１又は複数の利用者のアドレス情報ＵＲＬ１〜ＵＲＬ３に基づいてスケジュール管理サーバ５０にアクセスして前記１又は複数の利用者のスケジュールデータを取得し、それらスケジュールデータに基づいて全員が外出して不在である不在期間を演算する不在期間演算制御プログラム（不在期間演算制御手段）が格納される。
【００５２】
前記の設定温度変更制御については前記実施形態と同様である。
（２）前記実施形態においては、利用者が３名の場合を例にして説明したが、利用者の数はこれに限定されるものではない。
（３）前記実施形態においては、３名の利用者が同じスケジュール管理サーバ５０を利用している場合を例として説明したが、３名の利用者が夫々異なるスケジュール管理サーバ５０を利用している場合でも、前記実施形態と同様に制御することができる。
【００５３】
（４）前記実施形態においては、３名の利用者の全員が外出して不在である場合を「不在期間」の例として説明したが、例えば、複数の利用者のうちの過半数が外出して不在である場合を「不在期間」としても前記実施形態と同様に制御することができる。
（５）その他、当業者ならば本発明の趣旨を逸脱することなく、前記実施形態に種々の変更を付加した形態で実施可能であり、本発明はそのような変更形態を包含するものである。
【符号の説明】
【００５４】
Ｓ      温水システム
１      温水装置
４４    制御ユニット
５０    スケジュール管理サーバ
６０    外部サーバ
【図１】
2020003102.tif 000003
【図２】
2020003102.tif 000004
【図３】
2020003102.tif 000005
【図４】
2020003102.tif 000006
【図５】
2020003102.tif 000007
【図６】
2020003102.tif 000008